(57)【要約】【課題】  携帯電話ユーザに対してスピーディなユーザ登録サービスを提供する。【解決手段】  バーコード読み取り機能付き携帯電話を利用して２次元コードデータセル内へメール発信機能を備えたプログラムを保持させた２次元コードを読み込み発信する。システム管理者のデータベースに対しては、２次元コードを読み込んだ携帯電話のメールアドレスを認証用メールアドレスとして登録する。【選択図】図１
2005110239.tif 000002
【特許請求の範囲】
【請求項１】
バーコード読み取り機能付き携帯電話を利用して２次元コードデータセル内へメール発信機能を備えたプログラムを保持させた２次元コードを読み込み発信し、システム管理者のデータベースに対して、２次元コードを読み込んだ携帯電話のメールアドレスを認証用メールアドレスとして登録することを特徴とする携帯電話ユーザ登録方法。
【請求項２】
バーコード読み取り機能付き携帯電話を利用して、メール送信先としての所定のメールアドレスと、メール件名としての所定の文字記号と、メール本文としての所定の文字記号とを含んで構成されたＨＴＭＬタグを保持した２次元コードを読み込み発信し、システム管理者のデータベースに対して、２次元コードを読み込んだ携帯電話のメールアドレスを認証用メールアドレスとして登録することを特徴とする携帯電話ユーザ登録方法。
【請求項３】
バーコード読み取り機能付き携帯電話を利用して、メール送信先としての所定のメールアドレスと、メール件名としての所定の文字記号と、メール本文としての所定のＵＲＬ情報とを含んで構成されたＨＴＭＬタグを保持した２次元コードを読み込み発信し、システム管理者から、本文に前記ＵＲＬが含んだ返信メールが発信されることで、システム管理者のデータベースの処理速度を重視しながら、２次元コードを読み込んだ携帯電話のメールアドレスを認証用メールアドレスとして登録することを特徴とする携帯電話ユーザ登録方法。
【請求項４】
電子透かしの保持情報として、メール送信先としての所定のメールアドレスと、メール件名としての所定の文字記号と、メール本文としての所定の文字記号とを含んで構成された電子透かし画像を読み込んで発信し、システム管理者のデータベースに対して、電子透かしを読み込んだ携帯電話のメールアドレスを認証用メールアドレスとして登録することを特徴とする携帯電話ユーザ登録方法。
【請求項５】
請求項１乃至４のいずれかにおいて、前記データベースに前記携帯電話のメールアドレスが登録された場合に、システム管理者のサーバによって、前記メールアドレスが登録完了済みであることを意味する確認情報を保持した確認用２次元コードを前記携帯電話に配信するようにしたことを特徴とする携帯電話ユーザ登録方法。
【請求項６】
請求項５において、所定の認証端末によって前記携帯電話に表示される前記確認用２次元コードをスキャンさせる事で、該携帯電話のユーザ認証を実行することを特徴とする携帯電話ユーザ登録方法。
【請求項７】
請求項５又は６において、前記確認用２次元コードには更に有効期限が設定され、該確認用２次元コードを該有効期限内に限り利用可能にしたことを特徴とする携帯電話ユーザ登録方法。
【請求項８】
請求項５、６又は７において、前記確認用２次元コードには、前記確認情報に加えて、メール送信先としての所定のメールアドレスと、メール件名としての所定の文字記号と、メール本文としての所定の文字記号とを含むように構成し、前記携帯電話のディスプレイに該確認用２次元コードを表示させて、他の携帯電話のユーザに登録を促すことを可能にしたことを特徴とする携帯電話ユーザ登録方法。
【請求項９】
請求項１乃至８のいずれかにおいて、前記２次元コードの読み込みにより、前記システム管理者のサーバが前記携帯電話から発信されたメールを受信した際に、該サーバが前記携帯電話に対して、登録確認用ホームページへのアクセスを促すメールを返信するようにした事を特徴とする携帯電話ユーザ登録方法。
【請求項１０】
請求項９において、前記携帯電話が前記登録確認用ホームページにアクセスした際に、前記サーバが該携帯電話の固有識別情報を取得して、データベースに登録するようにしたことを特徴とする携帯電話ユーザ登録方法。
【請求項１１】
請求項１乃至１０のいずれかにおいて、前記２次元コードには、前記携帯電話において前記システム管理者のメールアドレスからのメールを受信可能にする受信許可処理を実行するプログラムを保持させることを特徴とする携帯電話ユーザ登録方法。
【発明の詳細な説明】
【技術分野】
【０００１】
本発明は、２次元コードを読み込んだ携帯電話のメールアドレスを認証用メールアドレスとして登録する方法に関するものである。
【背景技術】
【０００２】
従来、携帯電話ユーザ向けの携帯電話メールサービスを受ける場合、携帯電話ユーザは事前にシステム管理者へ自分の携帯電話メールアドレスを登録して携帯電話メールサービスを受ける。この事前登録の時、携帯電話ユーザは携帯電話の操作キーを利用して直接手入力で相手先（ｔｏ）の部へ送信先メールアドレス挿入し、機種により件名（ｔｉｔｉｅ）へ数文字を入力、本文（ｔｅｘｔ）へ数文字を入力して送信ボタンを押し送信、時間経過後システム管理者より登録か否かの問合せホームページが返信メール文に挿入されて着信する。携帯電話ユーザはホームページを開き登録を選択して送信するとシステム管理者側へ携帯電話ユーザの携帯電話メールアドレスが登録される。
この事前登録の時において近年２次元コードへ送信先メールアドレスを保持して登録させる方法が行われているが、相手先（ｔｏ）の部へ自動で送信先メールアドレスが挿入されるが、機種により件名（ｔｉｔｉｅ）へ数文字を手動で入力、本文（ｔｅｘｔ）へ数文字を手動で入力して送信ボタンを押しても送信拒否され送信されないのが現状である。
また事前登録の時、システム管理者よりの返信メールにおいて返信文内に挿入されてくる登録用ホームページおよび案内ホームページを返信文へ自動挿入するには、システム管理者側において自動挿入用プログラムを制作経費負担が掛かるのは云うまでもなく、返信メールを送るのにも管理者側プログラムを経由するゆえ時間が掛かるのである（特許文献１）。
【０００３】
【特許文献１】特開２００１−１８８８４６号公報
【発明の開示】
【発明が解決しようとする課題】
【０００４】
本発明は、これらの点を鑑み本発明がなされたのであり、２次元コードを読み込んだ携帯電話のメールアドレスを認証用メールアドレスとして登録する方法を提供することを目的とするものである。
【課題を解決するための手段】
【０００５】
上記課題を解決するための本発明は、以下の技術的手段から構成される。
バーコード読み取り機能付き携帯電話を利用して２次元コードデータセル内へメール発信機能を備えたプログラムを保持させた２次元コードを読み込み発信し、システム管理者のデータベースに対して、２次元コードを読み込んだ携帯電話のメールアドレスを認証用メールアドレスとして登録する携帯電話ユーザ登録方法。
例えば、バーコード読み取り機能付き携帯電話を利用して、図１に示されるような２次元コードデータセル内へメール発信機能を備えたプログラムを保持させた２次元コードを読み込んでメールを発信させる。このメールによって、システム管理者に対して、２次元コードを読み込んだ携帯電話のメールアドレスを認証用メールアドレスとして登録するようにする。
【０００６】
バーコード読み取り機能付き携帯電話を利用して、メール送信先としての所定のメールアドレスと、メール件名としての所定の文字記号と、メール本文としての所定の文字記号とを含んで構成されたＨＴＭＬタグを保持した２次元コードを読み込み発信し、システム管理者のデータベースに対して、２次元コードを読み込んだ携帯電話のメールアドレスを認証用メールアドレスとして登録する携帯電話ユーザ登録方法。
例えば、バーコード読み取り機能付き携帯電話を利用して、図２のように構成されたＨＴＭＬタグを保持した２次元コードを読み込んで発信させる。このメールによって、システム管理者に対して、２次元コードを読み込んだ携帯電話のメールアドレスを認証用メールアドレスとして登録するようにする。
【０００７】
バーコード読み取り機能付き携帯電話を利用して、メール送信先としての所定のメールアドレスと、メール件名としての所定の文字記号と、メール本文としての所定のＵＲＬ情報とを含んで構成されたＨＴＭＬタグを保持した２次元コードを読み込み発信し、システム管理者から、本文に前記ＵＲＬを含む返信メールを発信し、システム管理者のデータベースの処理速度を重視しながら、２次元コードを読み込んだ携帯電話のメールアドレスを認証用メールアドレスとして登録する携帯電話ユーザ登録方法。
例えば、バーコード読み取り機能付き携帯電話を利用して、図３のようなＨＴＭＬタグ、特にｂｏｄｙ：以下をＵＲＬで構成されたＨＴＭＬタグを含む２次元コードを読み込んでメールを発信させる。このメールによって、システム管理者からの返信メールにｂｏｄｙ：以下のＵＲＬが返信されることによって、システム管理者のプログラム制作経費および処理速度を重視しながら、２次元コードを読み込んだ携帯電話のメールアドレスを認証用メールアドレスとして登録するようにする。
【０００８】
電子透かしの保持情報として、メール送信先としての所定のメールアドレスと、メール件名としての所定の文字記号と、メール本文としての所定の文字記号とを含んで構成された電子透かし画像を読み込んで発信し、システム管理者のデータベースに対して、電子透かしを読み込んだ携帯電話のメールアドレスを認証用メールアドレスとして登録する携帯電話ユーザ登録方法。
例えば、電子透かしの保持情報として、ｍａｉｌｔｏ：以下任意のメールアドレス・ｓｕｂｊｅｃｔ：以下任意の文字記号・ｂｏｄｙ：以下任意のＵＲＬで構成された電子透かし画像を読み込み、携帯電話のメールアドレスを認証用メールアドレスとして登録するようにする。
【０００９】
上記手段において、前記データベースに前記携帯電話のメールアドレスが登録された場合に、システム管理者のサーバによって、前記メールアドレスが登録完了済みであることを意味する確認情報を保持した確認用２次元コードを前記携帯電話に配信するようにしたことを特徴とする携帯電話ユーザ登録方法。
上記手段において、所定の認証端末によって前記携帯電話に表示される前記確認用２次元コードをスキャンさせる事で、該携帯電話のユーザ認証を実行することを特徴とする携帯電話ユーザ登録方法。
上記手段において、前記確認用２次元コードには更に有効期限が設定され、該確認用２次元コ一ドを該有効期限内に限り利用可能にしたことを特徴とする携帯電話ユーザ登録方法。
上記手段において、前記確認用２次元コードには、前記確認情報に加えて、メール送信先としての所定のメールアドレスと、メール件名としての所定の文字記号と、メール本文としての所定の文字記号とを含むように構成し、前記携帯電話のディスプレイに該確認用２次元コードを表示させて、他の携帯電話のユーザに登録を促すことを可能にしたことを特徴とする携帯電話ユーザ登録方法。
上記手段において、前記２次元コードの読み込みにより、前記システム管理者のサーバが前記携帯電話から発信されたメールを受信した際に、該サーバが前記携帯電話に対して、登録確認用ホームページへのアクセスを促すメールを返信するようにした事を特徴とする携帯電話ユーザ登録方法。
上記手段において、前記携帯電話が前記登録確認用ホームページにアクセスした際に、前記サーバが該携帯電話の固有識別情報を取得して、データベースに登録するようにしたことを特徴とする携帯電話ユーザ登録方法。
上記手段において、前記２次元コードには、前記携帯電話において前記システム管理者のメールアドレスからのメールを受信可能にする受信許可処理を実行するプログラムを保持させることを特徴とする携帯電話ユーザ登録方法。
【発明の効果】
【００１０】
２次元コードに対して、例として、図２、図３の如くＨＴＭＬタグを保持させ、バーコードを読み取り機能付き携帯電話で読み出し、件名（ｔｉｔｉｅ）へ数文字を手動で入力したり、本文（ｔｅｘｔ）へ数文字を手動で入力したりすることなく、携帯電話ユーザはスピーディにメールを発信し登録を行うことができる。
また、返信メールに２次元コードを組み合わせることで、該返信メールを有効活用し、ユーザ登録だけではなく、その後の更なる情報通信を促すことが可能になる。
【発明を実施するための最良の形態】
【００１１】
以下、図面を参照しながら本発明の実施の形態について詳細に説明する。
図１、図２、図３には、携帯電話ユーザ登録に用いられる２次元コードが例示されている。図１の２次元コードには、情報を格納可能なデータセルにおいて、メールを自動送信可能なプログラムが格納されている。メールの発送先は、携帯電話に対してサービスを提供するシステム管理者に予め設定されている。自立型のプログラムを格納しておけば、携帯電話の機種や、携帯電話サービスを提供するキャリア各社の仕様の違いに依存すること無く、その差違をプログラム自身で吸収することが可能になる。なお、プログラムが発送するメールには、件名と本文に自動的に任意文章を挿入するようにしておくことが望ましい。
【００１２】
図２の２次元コードには、発信先メールアドレスとしてｍａｉｌｔｏ：以下任意のメールアドレス、メール件名としてｓｕｂｊｅｃｔ：以下任意の文字記号、メール本文としてｂｏｄｙ：以下任意の文字記号、がＨＴＭＬで格納されている。この結果、本２次元コードを携帯電話でスキャンすると、自動的に上記任意のメールアドレスにメールを発送することが出来る。また、自動的に件名と本文に文字が入力されているので、メール発信時のエラーや警告が発せられる確率を低減することが出来る。
【００１３】
図３の２次元コードには、発信先メールアドレスとしてｍａｉｌｔｏ：以下任意のメールアドレス、メール件名としてｓｕｂｊｅｃｔ：以下任意の文字記号、メール本文としてｂｏｄｙ：以下任意のＵＲＬ、がＨＴＭＬで格納されている。特にこのＵＲＬを、携帯電話ユーザ登録の案内用ホームページアドレスに設定しておくことが望ましい。本２次元コードをスキャンした携帯電話は、このＵＲＬを本文に含んだメールを管理者に送信することになるが、管理者にとっては、この受信メールに含まれるＵＲＬを引用したまま自動的に返信すれば、そのＵＲＬのリンク自身が携帯電話のユーザ登録を促す返信メールとなる。
つまり、図３の如く本文（ｔｅｘｔ）部へ登録および案内用ホームページアドレスを事前に保持させる事によりシステム管理者は返信メールの迅速化および処理速度の軽減ができるほか、登録および案内用ホームページアドレスを自動挿入するプログラムの制作が不要となり大幅な経費削減が実現する。
【００１４】
次に、図５を参照して、本実施形態を実現するシステム構成を説明する。このシステムは、携帯電話１と、携帯電話１を所定のプロバイダＰに接続する移動体通信網Ｎ１と、プロバイダＰとシステム管理者のサーバＳ１とを接続するインターネット網Ｎ２とを備える。なお、システム管理者のサーバＳ１には、ユーザ登録用のデータベースが用意されている。
ユーザＳが保有する携帯電話１は、数字や文字を入力する各種ボタンを有する操作部２と、２次元コード３を読み取る画像取込部（例えばＣＣＤカメラ）４と、各種機能部と情報をやり取りして計算を実行する信号処理部５と、データやプログラムが格納されている記憶部７と、外部との情報通信を実現する通信制御部６と、画像データの送受信を実行する画像データ送受信部８と、該画像データ送受信部８で受信した２次元コード画像を解析し、その中に有している情報を抽出するデコーダ９と、ディスプレイとして機能する表示部１０とを備える。
移動体通信網Ｎ１は、携帯電話サービスを提供しているキャリアが管理していることが多く、無線回線や有線回線を利用して、携帯電話１をプロバイダＰに接続する。プロバイダＰは、携帯電話１をインターネット網Ｎ２に接続する中継地点となり、所定のサーバを利用して、パケット量の監視や、外部からインターネット網Ｎ２を経て到達する情報形式を監視し、必要に応じてその情報形式を携帯電話用に変換する。
システム管理者のサーバＳ１には、ａｐａｃｈｅ等のＷＷＷアプリケーション、メールの送受信を実現するメールサーバアプリケーション、ユーザ登録情報を管理・蓄積するデータベース等が格納されている。
【００１５】
次に図７を参照して本システムによってユーザ登録する手順を説明する。なお、ここでは図３に示した２次元コードを用いた場合を示す。まず最初に、携帯電話１の画像取込部４によって２次元コード３を読み込むと、デコーダ９がその画像を解析し、ＨＴＭＬ情報を抽出する。
このＨＴＭＬ情報には、ｍａｉｌｔｏ：１２３＠ｗａｋａｍｏｔｏ．ｎｅｔ、ｓｕｂｊｅｃｔ：以下任意の文字記号、ｂｏｄｙ：ｈｔｔｐ：／／ｗａｋａｍｏｔｏ．ｎｅｔが含まれているので、表示部１０において、このＨＴＭＬに基づいて自動生成された電子メールが、送信指示待ちの状態で表示される。ユーザＳがこの電子メールの送信を指示すると、システム管理者のサーバＳ１に同電子メールが配信される。なお、この電子メールには、携帯電話の電子メールアドレスがｆｒｏｍ：以下に自動的に挿入されている。
送信後一定時間経過すると、このサーバＳ１から携帯電話１に対して、電子メールが返信される。この電子メールの本文には、携帯電話１が先ほど送信したＵＲＬ（ｈｔｔｐ：／／ｗａｋａｍｏｔｏ．ｎｅｔ）がそのまま引用されて返信されている。このＵＲＬ先のＷＥＢページは、携帯電話１の電子メールアドレスをユーザ認証用のデータとして登録することを促すようになっている。
従って、このＵＲＬに携帯電話１によってアクセスすると、ユーザ登録用のＷＥＢページが表示される。そこには、「登録する」と「登録しない」のボタンが用意されており、電子メールアドレスを、本人認証データとして登録するか否かを選択できるようになっている。「登録する」ボタンをクリックすることによってユーザ登録が完了し、当該電子メールアドレスがデータベースに登録され、その旨の電子メールが携帯電話１に到着するようになっている。
【００１６】
次に、登録完了時の手順について更に詳細に説明する。
図８に示されるように、携帯電話から所定のホームページにアクセスさせて、メールアドレスを認証データとして登録する旨のボタンをユーザがクリックした際に、管理者のサーバによって、携帯電話の固有識別情報を取得する。この固有識別情報は、携帯電話からアクセスされた際のログ情報に含まれている端末識別番号（端末ＩＤ）を用いることが望ましい。
その後、認証用のメールアドレスをデータベースに登録する際に、システム管理者は、上記固有識別情報と各ユーザ登録ＩＤをデータベースに同時に登録しておく。また、登録完了を通知するメールには、図１、図２、図３等と同様に、メール送信用のＨＴＭＬ情報が格納された確認用２次元コードを発行する。特に、この確認用２次元コードには上記登録ＩＤも格納されており、この登録ＩＤによって、誰に発行した確認用２次元コードなのかを管理者のサーバで認証可能となっている。
ユーザはこの確認用２次元コードを携帯電話のディスプレイに表示させて、友人等が保有する他の携帯電話にスキャンさせる。その結果、図７と同様な手順にて、他のユーザの登録手続きが開始されるが、その際に、管理者のサーバでは、確認用２次元コードに含まれる上記登録ＩＤに基づいて登録済みユーザを認証することができる。このシステムによって、既存会員の紹介者に限定したユーザ登録システムや、紹介者に紹介特典サービスを提供可能な登録システムが実現可能となっている。近年、インターネット上のセキュリティを高める方策として、いわゆるブログのように、紹介者限定のコミュニティのニーズが高まってきており、この確認用２次元コードを活用することで、携帯電話ユーザの紹介ネットワークを構築することができる。
【００１７】
また、この確認用２次元コードを取得した携帯電話を、カギとして活用することもできる。具体的には、図９に示されるように、携帯電話１のディスプレイに確認用２次元コード２０を表示させ、ドアロックＤと連動した認証スキャナＴにスキャンさせる。この認証スキャナＴは、インターネット網Ｎ２を経て管理者サーバＳ１にアクセスし、確認用２次元コード２０に含まれている登録ＩＤに基づいて本人認証を実行する。認証ができれば、ドアロックＤを解除する。
なお、このようにカギとして利用する場合などにおいて、更にセキュリティを高めたい場合は、認証スキャナによる本人認証完了後、管理者のシステムから携帯電話に認証用メールを発信し、そのメールの本文に固有識別情報取得用のホームページリンクを記載しておくようにする。従って、本人の携帯電話によって当該リンク先のホームページにアクセスして固有識別情報をサーバに提供し、固有識別情報に基づく本人認証が完了した段階で、ドアロックを解除するようにしてもよい。このようにすると、確認用２次元コードに埋め込まれた登録ＩＤと、携帯電話に埋め込まれた固有識別情報の双方で認証する事になるので、より安全な本人確認が可能になる。なお、このカギは、ドアロック以外にも、電子チケットやプリペイドカードの本人確認などにも用いることができる。
【００１８】
また更に、この確認用２次元コードに、認証可能期限を設定するようにすることも望ましい。例えば、確認用２次元コードの有効期限を１日間とし、その間に限ってサーバが本人認証可能にする。有効期限経過後は、必要に応じて、確認用２次元コードの再配送処理を携帯電話からサーバに要求するようにすれば良い。
また、特に図示しないが、図１、図２、図３等に示した２次元コードに、所定のメールアドレスからの受信許可を携帯電話に指示するプログラムを含めておくことが好ましく、例えば、システム管理者からの自動返信メールを、スキャンした携帯電話が受信可能にするようなプログラムが好ましい。現在、携帯電話の機種によっては、予め指定したメールアドレスでないと受信しないような機能設定されているものがある。その場合、予めアドレスが登録されていない場合、システム管理者からの返信メールが拒否されることになる。このプログラムを２次元コードに格納しておき、２次元コードをスキャンした段階で該プログラムを自動実行するようにしておけば、所定のメールアドレスからの電子メールの受信を許可することができるようになる。
【産業上の利用可能性】
【００１９】
本文（ｔｅｘｔ）へ数文字を手動で入力をすることなく携帯電話ユーザはスピーディに発信し登録を行うことができる新しい方法を提供することができる。
【図面の簡単な説明】
【００２０】
【図１】２次元コードの情報保持部（データセル）である。
【図２】データセル部へＨＴＭＬのタグ挿入例である。
【図３】データセル部へＨＴＭＬのタグ挿入例において  ｂｏｄｙ：以下へＵＲＬを挿入例である。
【図４】データセル部へメールアドレスのみを挿入した例である。
【図５】全体相関図  Ｓの携帯電話ユーザがバーコード読み取り機能付き携帯電話にて３の２次元コードを読み取り携帯電話専用のプロバイダを通じてシステム管理者との関係を示す図である。
【図６】図−４のようにメールアドレスのみをデータセルへ保持した場合、携帯電話の機種により本文、件名へ一文字でも書き込まないと送信不可となる例を示すフローチャートである。
【図７】図２・図３の如くデータセル内へＨＴＭＬタグを保持させる事により携帯電話ユーザが自分のメールアドレスを認証用登録例を示すフローチャートである。
【図８】ユーザ登録手続の詳細を示すフローチャートである。
【図９】確認用２次元コードをカギとして利用する場合を示すシステム構成図である。
【符号の説明】
【００２１】
１    携帯電話
２    操作部
３    ２次元コード
４    画像取込部
５    信号処理部
６    通信制御部
７    記憶部
８    画像データ送受信部
９    デコーダ
１０  表示部
【図１】
2005110239.tif 000003
【図２】
2005110239.tif 000004
【図３】
2005110239.tif 000005
【図４】
2005110239.tif 000006
【図５】
2005110239.tif 000007
【図６】
2005110239.tif 000008
【図７】
2005110239.tif 000009
【図８】
2005110239.tif 000010
【図９】
2005110239.tif 000011